(57)【特許請求の範囲】
【請求項１】
回転及びスライド可能に保持された支柱部と、
電気機器を保持するとともに前記支柱部の上部に設けられた装置保持部と、
前記支柱部を上下方向にスライド移動させる伸縮部と、
前記支柱部の上下方向の移動をロックするスライドロック機構と、を有する伸縮支柱であって、
前記スライドロック機構は、前記支柱部が挿入したベアリングと、前記ベアリングを保持する円筒状のベアリング保持部と、前記ベアリング保持部が回転可能に挿入する保持穴を備えた本体部と、を有し、
前記ベアリング保持部の中心は前記支柱部の中心軸とは異なる位置にあり、前記ベアリング保持部が前記保持穴内で回転することで前記ベアリングが偏心移動して前記支柱部を押圧し、前記支柱部の水平方向の回転を可能としながら上下方向のスライド移動を阻止することを特徴とする伸縮支柱。
【請求項２】
ベアリングがニードルベアリングであることを特徴とする請求項１記載の伸縮支柱。
【請求項３】
前記支柱部の下端部を掛止して伸縮部の伸長を阻止する爪部を備えた伸長ロック機構をさらに有し、
前記伸縮部が内部に収容したロッドの突出により伸長するガススプリングであり、
前記伸長ロック機構は、操作部に対するロック解除操作により前記爪部が開動作して前記支柱部の下端部を解放し、これにより前記ロッドが自動的に突出して前記支柱部が上方向にスライド移動し、
また、前記支柱部を下方にスライド移動させて前記支柱部で前記伸長ロック機構を押圧することで前記爪部が閉動作して前記支柱部の下端部を掛止することを特徴とする請求項１または請求項２に記載の伸縮支柱。
【請求項４】
支柱部が、外筒部と、前記外筒部内に回転可能に挿入した内筒部と、を有し、
装置保持部が、前記外筒部の上端部に固定した台枠と、前記台枠に対してチルト方向に回動可能に設置された装置保持枠と、前記内筒部の上端部に固定した旋回アームと、前記装置保持枠と旋回アームとを繋ぐリンク機構と、を備え、前記内筒部の回転によって前記装置保持枠がチルト方向に俯仰動作するとともに、
前記装置保持枠が電気機器を着脱可能に保持することを特徴とする請求項１乃至請求項３のいずれかに記載の伸縮支柱。
【発明の詳細な説明】
【技術分野】
【０００１】
本発明は、上部に電気機器を設置して使用する支柱に関し、特に支柱の伸長を楽に行うことが可能な伸縮支柱に関するものである。
【背景技術】
【０００２】
例えば、工事車両や緊急車両等には作業現場を照らす照明器具や対象に向けて音声を出力するスピーカ等が必要な場合がある。そして、本願発明者らはこのような車両等に設置可能な電気機器用の支柱として、下記［特許文献１］及び[特許文献２]に記載の発明を行った。この［特許文献１］、[特許文献２]に記載の発明は、使用者がこの支柱をガイド筒に沿って上方にスライド移動させてロックすることで、支柱に取り付けられた電気機器を上方に位置させることができる。また、［特許文献１］、[特許文献２]に記載の発明では、電気機器の位置が上方にある状態でも、支柱の下部に設けられたハンドルの操作により電気機器の向きを水平方向（パン方向）と俯仰方向（チルト方向）とで自在に変化させることができる。
【先行技術文献】
【特許文献】
【０００３】
【特許文献１】特許第５４３３６１３号公報
【特許文献１】特許第６４２９６５４号公報
【発明の概要】
【発明が解決しようとする課題】
【０００４】
しかしながら、［特許文献１］、[特許文献２]に記載の発明では、電気機器が設置した比較的重量のある支柱を人力で上昇させる必要があるため、使用者に対する負担が大きいという問題点がある。また、［特許文献１］、[特許文献２]に記載の発明では、支柱の上下方向へのスライド移動を固定した状態で水平方向の回転パイプを回転可能とするため、回転パイプの外側に管体を設ける必要があり、構造が３重となって複雑化するとともに、支柱の重量が増加するという問題点がある。
【０００５】
本発明は上記事情に鑑みてなされたものであり、支柱の上昇を楽に行うことが可能な伸縮支柱の提供を目的とする。また、支柱の上下方向へのスライド移動を固定した状態で支柱部の水平方向の回転を可能とした伸縮支柱の提供を目的とする。
【課題を解決するための手段】
【０００６】
本発明は、
（１）回転及びスライド可能に保持された支柱部３０と、
電気機器５を保持するとともに前記支柱部３０の上部に設けられた装置保持部４０と、
前記支柱部３０を上下方向にスライド移動させる伸縮部３２と、
前記支柱部３０の上下方向の移動をロックするスライドロック機構５０と、を有する伸縮支柱であって、
前記スライドロック機構５０は、前記支柱部３０が挿入したベアリング５２と、前記ベアリング５２を保持する円筒状のベアリング保持部５４と、前記ベアリング保持部５４が回転可能に挿入する保持穴５６を備えた本体部５８と、を有し、
前記ベアリング保持部５４の中心Ｏ２は前記支柱部３０の中心軸Ｏ１とは異なる位置にあり、前記ベアリング保持部５４が前記保持穴５６内で回転することで前記ベアリング５２が偏心移動して前記支柱部３０を押圧し、前記支柱部３０の水平方向の回転を可能としながら上下方向のスライド移動を阻止することを特徴とする伸縮支柱１００を提供することにより、上記課題を解決する。
（２）ベアリング５２がニードルベアリングであることを特徴とする上記（１）記載の伸縮支柱１００を提供することにより、上記課題を解決する。
（３）前記支柱部３０の下端部を掛止して伸縮部３２の伸長を阻止する爪部６２ａ、６２ｂを備えた伸長ロック機構６０をさらに有し、
前記伸縮部３２が内部に収容したロッド３２ａの突出により伸長するガススプリングであり、
前記伸長ロック機構６０は、操作部（開レバー６６）に対するロック解除操作により前記爪部６２ａ、６２ｂが開動作して前記支柱部３０の下端部を解放し、これにより前記ロッド３２ａが自動的に突出して前記支柱部３０が上方向にスライド移動し、
また、前記支柱部３０を下方にスライド移動させて前記支柱部３０で前記伸長ロック機構６０を押圧することで前記爪部６２ａ、６２ｂが閉動作して前記支柱部３０の下端部を掛止することを特徴とする上記（１）または上記（２）に記載の伸縮支柱１００を提供することにより、上記課題を解決する。
（４）支柱部３０が、外筒部１３と、前記外筒部１３内に回転可能に挿入した内筒部１２と、を有し、
装置保持部４０が、前記外筒部１３の上端部に固定した台枠２０と、前記台枠２０に対してチルト方向に回動可能に設置された装置保持枠２４と、前記内筒部１２の上端部に固定した旋回アーム８１と、前記装置保持枠２４と旋回アーム８１とを繋ぐリンク機構８３と、を備え、前記内筒部１２の回転によって前記装置保持枠２４がチルト方向に俯仰動作するとともに、
前記装置保持枠２４が電気機器５を着脱可能に保持することを特徴とする上記（１）乃至上記（３）のいずれかに記載の伸縮支柱１００を提供することにより、上記課題を解決する。
【発明の効果】
【０００７】
本発明に係る伸縮支柱は、伸長ロック機構のロックを解除すると自動的に支柱部が上方にスライド移動する。このため、使用者の労力を大幅に軽減することができる。また、本発明に係る伸縮支柱のスライドロック機構は、外側の回転パイプ（外筒部）の上下方向のスライド移動を固定した状態で水平方向の回転を可能とする。このため、支柱部の構造の簡素化と軽量化とを図ることができる。
【図面の簡単な説明】
【０００８】
【図１】本発明に係る伸縮支柱の伸長状態を示す図である。
【図２】本発明に係る伸縮支柱の収縮状態を示す斜視図である。
【図３】本発明に係る伸縮支柱の支柱部の略断面図である。
【図４】本発明に係る伸縮支柱の装置保持部の動作を説明する図である。
【図５】本発明に係る伸縮支柱の保持機構を説明する図である。
【図６】本発明に係る伸縮支柱の保持機構を説明する図である。
【図７】本発明に係る伸縮支柱のスライドロック機構を説明する図である。
【図８】本発明に係る伸縮支柱の伸長ロック機構を説明する図である。
【発明を実施するための形態】
【０００９】
本発明に係る伸縮支柱１００の実施の形態について図面に基づいて説明する。ここで、図１は本発明に係る伸縮支柱１００の伸長状態を示す図である。また、図２は本発明に係る伸縮支柱１００の収縮状態を示す斜視図である。本発明に係る伸縮支柱１００は、例えばガイド筒３４を介して消防車両、工事車両等の特殊車両や設備、備品、建築物等の設置対象物１に固定して使用するものであり、設置対象物１と固定したガイド筒３４と、このガイド筒３４により可動な状態で保持された支柱部３０と、この支柱部３０の上部に設けられ電気機器５を保持する装置保持部４０と、支柱部３０を上下方向にスライド移動させる後述の伸縮部３２と、支柱部３０の上下方向の移動をロックするスライドロック機構５０と、支柱部３０の下端部を掛止して伸縮部の伸長を阻止する伸長ロック機構６０と、を有している。尚、電気機器５としては投光器、照明、スピーカ、集音マイク、ビデオカメラ、画像表示装置等、如何なるものとしても良い。
【００１０】
次に、図３を用いて、支柱部３０と装置保持部４０の構成を説明する。ここで、図３は支柱部３０の上端部及び下端部の略断面図である。先ず、支柱部３０は、外筒部１３と、この外筒部１３内に回転可能に挿入した内筒部１２と、を有している。また、外筒部１３の上端部分には装置保持部４０の台枠２０が固定し、下端部分には旋回ハンドル１３ａが固定する。そして、この旋回ハンドル１３ａを回すことで外筒部１３がガイド筒３４に対して回転し、台枠２０が水平方向に回転する。また、台枠２０には貫通孔が形成され、この貫通孔を通して内筒部１２の上端部分と装置保持部４０の旋回アーム８１とが固定する。また、内筒部１２の下端部には旋回ハンドル１３ａを通して俯仰ハンドル１２ａが固定する。そして、この俯仰ハンドル１２ａを回すことで内筒部１２が外筒部１３に対して回転し、この内筒部１２の回転によって旋回アーム８１が水平方向に回転する。
【００１１】
また、台枠２０は上方が開いた略コの字形状を呈し、この台枠２０の左右のアームの先側には支軸２３が設けられる。そして、この支軸２３には、台枠２０と同じく上方が開いた略コの字形状の装置保持枠２４の左右のアームの先側が回動可能に接続する。これにより、装置保持枠２４は支軸２３を軸に台枠２０及び支柱部３０に対して前後方向に回動する。そして、この装置保持枠２４が電気機器５を保持することで、電気機器５の俯仰角（チルト方向）の変化が可能となる。  また、旋回アーム８１の先側と装置保持枠２４の底部とは自在継手を備えたリンク機構８３によって繋がれ、旋回アーム８１の水平方向の回転運動はリンク機構８３によって支軸２３を中心とした装置保持枠２４の前後方向の回動運動（俯仰動作）に変換される。即ち、俯仰ハンドル１２ａによって旋回アーム８１を図２の手前側に回転させるとリンク機構８３が装置保持枠２４を手前側に引くように動作し、これにより装置保持枠２４は支軸２３を中心に手前側に回動する。これにより、電気機器５は図４（ａ）に示すように仰角が増大して上方を向く。また、俯仰ハンドル１２ａにより旋回アーム８１を図２の奥側に回転させるとリンク機構８３は装置保持枠２４を奥側に押し込むように動作し、装置保持枠２４が支軸２３を中心に奥側に回動する。これにより、電気機器５は図４（ｂ）に示すように俯角が増大して下方を向く。
【００１２】
また、装置保持部４０の装置保持枠２４は電気機器５を着脱可能に保持することが好ましい。ここで、本発明に好適な電気機器５の保持機構を図５、図６を用いて説明する。尚、図５は保持機構が開いた状態の装置保持部４０の斜視図であり、図６（ａ）は保持機構が閉じた状態の上面方向からの概略構成図であり、図６（ｂ）は側面方向からの概略構成図である。
【００１３】
本発明に好適な電気機器５の保持機構は、装置保持枠２４にヒンジ４１等を介して回動可能に接続した保持プレート４２ａ、４２ｂと、これら保持プレート４２ａ、４２ｂを閉状態でロックするパチン錠等の周知の機器ロック機構４６と、を有している。また、電気機器５側には保持プレート４２ａ、４２ｂにて挟持固定される固定プレート１０が設けられている。尚、電気機器５は地面等に載置して単独で使用が可能なように脚部７を備えていることが好ましく、この脚部７に固定プレート１０を設けることが特に好ましい。また、脚部７と電気機器５の本体部とはストッパ機能付きの回動軸を介して接続し、電気機器５の単独使用時でも俯仰角度の調節が可能なことが好ましい。そして、本願に好適な保持機構は、電気機器５の固定プレート１０を装置保持枠２４の所定の位置に載置した状態で保持プレート４２ａ、４２ｂを閉じ、機器ロック機構４６によってロックすることで、電気機器５の固定プレート１０を装置保持枠２４と保持プレート４２ａ、４２ｂとで挟持固定する。また、電気機器５を装置保持部４０から取り外す際には、機器ロック機構４６のロック状態を解除して、保持プレート４２ａ、４２ｂを開く。これにより、固定プレート１０は解放されて電気機器５の取外しが可能となる。この構成では電気機器５を必要に応じて伸縮支柱１００から取外し、単独で使用することができる。これにより、電気機器５を現場や状況に合わせて柔軟に活用することができる。
【００１４】
次に、本発明に係る伸縮支柱１００の伸縮部３２に関して説明する。本発明に係る伸縮部３２は支柱部３０に設けられ、支柱部３０を常に上方に押し上げるように動作する。この伸縮部３２としては、内部のガス圧によってロッド３２ａが突出して伸長するガススプリングを用いることが特に好ましい。そして、伸縮部３２にガススプリングを用いた場合、図３に示すように内筒部１２内に設置することが最も好ましい。そして、伸縮部３２にガススプリングを用いた構成では、後述の伸長ロック機構６０が開動作して支柱部３０を解放すると、内筒部１２の下端からロッド３２ａが自動的に突出して支柱部３０と装置保持部４０とを上方に押し上げスライド移動させる。尚、伸縮部３２はガススプリングを内筒部１２内に２本連ねて設け、外側（下側）のガススプリングをスライド移動可能として、２本のガススプリングで支柱部３０を押し上げ伸縮部３２による移動距離を略２倍としても良い。
【００１５】
次に、本発明のスライドロック機構５０に関して図７を用いて説明する。ここで、図７（ａ）はスライドロック機構５０の側方からの略断面図であり、図７（ｂ）はロック解除状態のＸ−Ｘ線略断面図であり、図７（ｃ）はロック状態のＸ−Ｘ線略断面図である。本発明のスライドロック機構５０は、支柱部３０が挿入したベアリング５２と、このベアリング５２を保持する円筒状のベアリング保持部５４と、このベアリング保持部５４が回転可能に挿入する保持穴５６と、この保持穴５６を備えた本体部５８と、を有している。尚、ベアリング５２としては円柱形の転動体（ころ）が内周面に露出して配設され、支柱部３０（外筒部１３）と転動体とが直接接触するニードルベアリング（針状ころ軸受）を用いることが好ましい。また、ベアリング５２の内径は支柱部３０（外筒部１３）の外径よりも若干大きいものを用い、支柱部３０の縦方向（上下方向）のスライド移動を可能とする。尚、スライドロック機構５０の本体部５８は設置対象物１と固定したガイド筒３４に設けることが好ましい。そして、特に本発明のスライドロック機構５０は、ベアリング保持部５４及び保持穴５６の中心Ｏ２と支柱部３０の中心軸Ｏ１とが異なる位置に偏心して構成される。
【００１６】
そして、スライドロック機構５０がロック解除状態にある図７（ｂ）の状態では、支柱部３０の中心軸Ｏ１とベアリング５２の中心軸とが略同心に位置する。このとき、ベアリング５２の内径は前述のように支柱部３０の外径よりも若干大きいため、ベアリング５２と支柱部３０とは概ね非接触の状態にあり、支柱部３０は水平方向への回転に加え上下方向のスライド移動が可能となる。また、スライドロック機構５０をロック状態とする場合、例えば使用者がベアリング保持部５４と固定したグリップ５４ａを握持して回転させる。これにより、ベアリング保持部５４が保持穴５６内で回転する。このとき、ベアリング保持部５４及び保持穴５６の中心Ｏ２と支柱部３０の中心軸Ｏ１とは異なる位置に偏心しているから、ベアリング保持部５４が回転するとベアリング５２が支柱部３０に対して水平方向に偏心移動する。これにより、図７（ｃ）に示すようにベアリング５２（ニードルベアリング）の転動体が支柱部３０の外周面に当接し、例えば図中の黒矢印に示す方向に支柱部３０を押圧する。ここで、ニードルベアリングの転動体は円柱状であり水平方向には回転するものの上下方向には回転しない。従って、ベアリング５２を支柱部３０に押圧することで、支柱部３０の上下方向への移動は阻害され、この方向への移動はロックされる。しかしながら、ベアリング５２は支柱部３０を押圧した状態でも、（押圧力が過大でなければ）支柱部３０（外筒部１３）の水平方向の回転を妨げない。このためスライドロック機構５０がロック状態にあっても外筒部１３の水平方向の回転、即ち装置保持部４０（電気機器５）の旋回動作は支障無く行うことができる。
【００１７】
次に、本発明の伸長ロック機構６０に関して図８を用いて説明を行う。ここで、図８（ａ）、（ｂ）は本発明の伸長ロック機構６０の開状態を示す斜視図及び側面図であり、図８（ｃ）は閉状態を示す斜視図である。図８に示す本発明に好適な伸長ロック機構６０は、ロッド３２ａの先端が当接する底部７８を有し設置対象物１に固定した取付ステー７０と、支柱部３０の下端部を掛止する左右の爪部６２ａ、６２ｂと、これら爪部６２ａ、６２ｂを閉状態にロックする開閉ロック部（可動フック６４ａ、固定フック６４ｂ）と、この開閉ロック部のロック状態を解除する操作部（開レバー６６）と、を有している。そして、爪部６２ａ、６２ｂは、例えば支柱部３０の径よりも大きく旋回ハンドル１３ａの径よりも小さい切り欠きによって形成され、爪部６２ａ、６２ｂの閉状態においては図８（ｃ）に示すように旋回ハンドル１３ａの上端を掛止して伸縮部３２の伸長を防止する。また、爪部６２ａ、６２ｂは例えば下端がヒンジ７２を介して取付ステー７０に設置され、これにより開閉動作が可能となる。また、爪部６２ａ、６２ｂ間にはスプリング等の周知の弾性部材７６が設けられ、左右の爪部６２ａ、６２ｂを開方向に付勢する。さらに、爪部６２ａ、６２ｂの下部には同調ギア７４ａ、７４ｂが設けられ、これらが噛み合うことで爪部６２ａ、６２ｂは左右対称に開閉動作する。またさらに、爪部６２ａ、６２ｂの底部には、例えば俯仰ハンドル１２ａの下降動作により爪部６２ａ、６２ｂを閉動作させる回動プレート７９が設けられる。
【００１８】
また、伸長ロック機構６０の開閉ロック部は、爪部６２ａ、６２ｂの一方（本例では左の爪部６２ｂ）に設けられた例えばＵ字形状の固定フック６４ｂと、他方（本例では右の爪部６２ａ）に設けられ可動な鉤爪を備えた可動フック６４ａと、を有している。そして、爪部６２ａ、６２ｂを開く際には使用者がロック解除操作として開レバー６６を倒す。これにより可動フック６４ａの鉤爪が回転し、可動フック６４ａから固定フック６４ｂが外れて伸長ロック機構６０はロック解除する。そして、伸長ロック機構６０のロックが解除されると、弾性部材７６の弾性力によって爪部６２ａ、６２ｂは自動的に開き、これにより支柱部３０の旋回ハンドル１３ａが解放される。旋回ハンドル１３ａが解放されると伸縮部３２のロッド３２ａが突出し、これにより図８（ａ）、（ｂ）に示すように支柱部３０が上方にスライド移動する。また、爪部６２ａ、６２ｂを閉じる際には支柱部３０を下降させることで俯仰ハンドル１２ａが爪部６２ａ、６２ｂの回動プレート７９に当接して、これを下方に押し下げる。これにより、左右の爪部６２ａ、６２ｂはヒンジ７２を軸に閉動作し、固定フック６４ｂが可動フック６４ａ内に挿入して鉤爪のトリガを押圧する。これにより鉤爪が回動して固定フック６４ｂの出入り口を閉塞し、爪部６２ａ、６２ｂは閉状態でロックされる。
【００１９】
次に、本発明に係る伸縮支柱１００の動作を説明する。先ず、伸縮支柱１００の待機時には伸縮部３２のロッド３２ａが内部に収容された収縮状態にある。また、このとき伸長ロック機構６０の爪部６２ａ、６２ｂは閉じた状態にあり、図８（ｃ）に示すように爪部６２ａ、６２ｂが旋回ハンドル１３ａの上端を掛止して伸縮部３２による伸長を阻止している。
【００２０】
次に、装置保持部４０に所望の電気機器５を設置する。装置保持部４０への電気機器５の設置は前述のように保持プレート４２ａ、４２ｂを開いた状態で電気機器５の固定プレート１０を装置保持枠２４の所定の位置に載置し、この状態で保持プレート４２ａ、４２ｂを閉じ、機器ロック機構４６によってロックすることで行う。
【００２１】
次に、伸縮支柱１００を伸長する際には、使用者が伸長ロック機構６０の開レバー６６を操作する。これにより、可動フック６４ａの鉤爪が回転して固定フック６４ｂが外れ、伸長ロック機構６０のロックが解除する。伸長ロック機構６０のロックが解除されると、弾性部材７６の弾性力によって爪部６２ａ、６２ｂが自動的に開き、これにより爪部６２ａ、６２ｂによって掛止されていた旋回ハンドル１３ａが解放される。このとき、スライドロック機構５０がロック解除状態であれば、伸縮部３２のロッド３２ａが内部のガス圧によって支柱部３０の下端から突出するように動作する。ここで、ロッド３２ａの先端は設置対象物１に固定した取付ステー７０の底部７８と当接しているから、このロッド３２ａの突出により支柱部３０は押し上げられ、これにより伸縮支柱１００の支柱部３０はガイド筒３４に沿って上方にスライド移動する。この際、伸縮部３２の力が不十分な場合には、使用者がこのスライド移動を補助しても良い。この場合でも、支柱部３０には伸縮部３２からの力が上方に向けて働いているから、使用者は従来の支柱と比較して遥かに少ない労力で支柱部３０を上昇させることができる。
【００２２】
そして、伸縮部３２が伸長し電気機器５が目的の高さに達すると、使用者はスライドロック機構５０のグリップ５４ａを回す。これにより、ベアリング保持部５４が保持穴５６内で回転し、ベアリング５２が水平方向に移動して支柱部３０を押圧する。これにより、支柱部３０の上下方向へのスライド移動はロックされ、電気機器５はこの高さで固定される。
【００２３】
次に、使用者はリモコン等を用いて電気機器５を動作させる。また、使用者が旋回ハンドル１３ａを回すと外筒部１３が回転し、これにより電気機器５は装置保持枠２４及び台枠２０とともに水平方向に回転する。これにより、電気機器５を目的の方向に向けることができる。また、使用者が俯仰ハンドル１２ａを回すと、装置保持部４０の旋回アーム８１が台枠２０に対して回転し、旋回アーム８１に接続したリンク機構８３が装置保持枠２４の下部を押し引きする。これにより装置保持枠２４が支軸２３を中心に前後に回動し、これにより電気機器５の俯仰角が変化して電気機器５を目的の角度に向けることができる。
【００２４】
次に、伸縮支柱１００を収縮させる場合、使用者は先ずスライドロック機構５０のグリップ５４ａをロック解除方向に回す。これにより、ベアリング保持部５４が保持穴５６内でロック解除方向に回転し、ベアリング５２が水平方向に移動する。そして、特定の位置でベアリング５２の中心軸と支柱部３０の中心軸Ｏ１とが略同軸となる。このとき、ベアリング５２は支柱部３０の外周面と概ね非接触の状態となり、支柱部３０の上下方向の移動が可能となる。
【００２５】
次に、使用者は支柱部３０を下方にスライド移動させる。尚、従来の支柱ではスライドロックを解除すると支柱及び電気機器５の荷重が一気にかかり、使用者は支柱部を支えながら慎重に支柱部を下げる必要があった。しかしながら、本発明に係る伸縮支柱１００では伸縮部３２の伸長動作が支柱部３０及び電気機器５の荷重を支えるため、使用者は支柱部３０を楽に下降させることができる。
【００２６】
この支柱部３０の下方へのスライド移動により、ロッド３２ａは伸縮部３２内に収容され、伸縮支柱１００は収縮する。そして、伸縮部３２の収縮の最終段階において、俯仰ハンドル１２ａの下端が爪部６２ａ、６２ｂの回動プレート７９に当接して、これを下方に押し下げる。これにより、左右の爪部６２ａ、６２ｂはヒンジ７２を軸に閉動作する。そして、固定フック６４ｂが可動フック６４ａ内に挿入して内部のトリガを押圧する。これにより、鉤爪が回転して固定フック６４ｂの出入り口を閉塞し、爪部６２ａ、６２ｂは閉状態でロックされる。これにより、爪部６２ａ、６２ｂが旋回ハンドル１３ａを掛止して、支柱部３０の上昇は阻止され、支柱部３０は収縮した状態で保持される。
【００２７】
以上のように、本発明に係る伸縮支柱１００は、伸長ロック機構６０のロックを解除すると自動的に伸縮部３２が伸長し支柱部３０が上方にスライド移動する。このため、使用者の労力を大幅に軽減することができる。また、支柱部３０を最下点まで下降させると伸長ロック機構６０の爪部６２ａ、６２ｂが自動的に閉動作し支柱部３０をロックする。このため、使用者は支柱部３０の下降動作のみで伸縮支柱１００の収縮及びロックを行うことができる。
【００２８】
また、本発明に係るスライドロック機構５０は、グリップ５４ａを回すだけで支柱部３０の上下方向を固定する。この際、スライドロック機構５０は支柱部３０の水平方向の回転は妨げず、ロック状態でも電気機器５を回転させることができる。このため、支柱部３０の構成を簡素化することが可能となり、支柱部３０の軽量化を図ることができる。
【００２９】
さらに、本発明に係る伸縮支柱１００は電気機器５を着脱可能に保持する。このため、電気機器５を伸縮支柱１００から取外し、単独で使用することができる。これにより、電気機器５を現場や状況に合わせて柔軟に活用することができる。
【００３０】
尚、本例で示した伸縮支柱１００、支柱部３０、装置保持部４０、スライドロック機構５０、伸長ロック機構６０、その他の各部の構成、形状、動作機構、寸法、デザイン等は一例であり、本発明は本発明の要旨を逸脱しない範囲で変更して実施することが可能である。
【符号の説明】
【００３１】
５      電気機器
１２    内筒部
１３    外筒部
２０    台枠
２４    装置保持枠
３０    支柱部
３２    伸縮部
３２ａ  ロッド
４０    装置保持部
５０    スライドロック機構
５２    ベアリング
５４    ベアリング保持部
５６    保持穴
５８    本体部
６０    伸長ロック機構
６２ａ、６２ｂ  爪部
８１    旋回アーム
８３    リンク機構
１００  伸縮支柱
【要約】
【課題】支柱の上昇を楽に行うことが可能な伸縮支柱を提供する。また、支柱の上下方向へのスライド移動を固定した状態で支柱部の水平方向の回転を可能とした伸縮支柱の提供を目的とする。
【解決手段】この伸縮支柱１００は、伸長ロック機構６０のロックを解除すると自動的に伸縮部３２が伸長し支柱部３０が上方にスライド移動する。このため、使用者の労力を大幅に軽減することができる。また、この伸縮支柱１００のスライドロック機構５０は、グリップ５４ａを回すだけで支柱部３０の上下方向を固定する。この際、スライドロック機構５０は支柱部３０の水平方向の回転は妨げず、ロック状態でも電気機器５を回転させることができる。このため、支柱部３０の構成を簡素化することが可能となり、支柱部３０の軽量化を図ることができる。
【選択図】図１【図１】
0006593833.tif 000002
【図２】
0006593833.tif 000003
【図３】
0006593833.tif 000004
【図４】
0006593833.tif 000005
【図５】
0006593833.tif 000006
【図６】
0006593833.tif 000007
【図７】
0006593833.tif 000008
【図８】
0006593833.tif 000009